(57)【特許請求の範囲】
【請求項１】
天井から垂下される垂れ壁とその垂れ壁に接続される側壁とによって形成される壁部の化粧構造であって、
前記垂れ壁の側面と前記側壁の上部に連続した長尺状の面を形成させるために取り付けられる下地板と、
前記下地板に貼り付けられる木目調の内装シートとを備え、
前記垂れ壁の下側の隅角部に沿わせるとともに、前記側壁の上部を横断させる見切り材が取り付けられ、
前記垂れ壁の下面の前記見切り材間には下面用下地板が取り付けられ、その下面用下地板に木目調の内装シートが貼り付けられることを特徴とする壁部の化粧構造。
【請求項２】
前記内装シートは、発泡樹脂層を有するクロス材であることを特徴とする請求項１に記載の壁部の化粧構造。
【請求項３】
天井から垂下される垂れ壁とその垂れ壁に接続される側壁とによって形成される壁部の化粧構造の施工方法であって、
前記垂れ壁の下側の隅角部に沿わせるとともに、前記側壁の上部を横断させる見切り材を取り付ける工程と、
前記見切り材に沿って下地板を取り付けることによって前記垂れ壁の側面と前記側壁の上部に連続した長尺状の面を形成させる工程と、
前記下地板に木目調の内装シートを貼り付ける工程とを備えたことを特徴とする壁部の化粧構造の施工方法。
【発明の詳細な説明】
【技術分野】
【０００１】
本発明は、天井から垂下される垂れ壁とそれに接続される側壁とによって形成される壁部の化粧構造及びその施工方法に関するものである。
【背景技術】
【０００２】
従来、天井から垂下されて室内空間の上部に横たわる垂れ壁と、その端部に接続される天井から床までの高さの側壁とによって形成される開口部を有する壁部が、室内に面して構築される構造が知られている（特許文献１，２参照）。
【０００３】
このように垂れ壁と側壁とによって構成される壁部は、通常、垂れ壁の両側に側壁が接続される門形、又は垂れ壁の片側にのみ側壁が接続されるＬ形の壁として内装が仕上げられる。
【０００４】
一方、特許文献３，４に開示されているように、近年、天井面にアクセントを付けて室内空間の意匠性を高めるために、梁を化粧部材で被覆したり、梁に見せかけた化粧梁を設けたりする住宅が造られるようになった。
【０００５】
また、特許文献５に開示されているように、木目模様が印刷された薄い熱可塑性樹脂フィルム（シート）を部材の表面に貼ることによって、天然木に見せかける木目調化粧シートが知られている。
【先行技術文献】
【特許文献】
【０００６】
【特許文献１】特開２００２−８８９５１号公報
【特許文献２】特開平１０−４６６７１号公報
【特許文献３】特開２００３−２９３５７２号公報
【特許文献４】特開２００２−７０２３１号公報
【特許文献５】特開平５−４３１０号公報
【発明の概要】
【発明が解決しようとする課題】
【０００７】
しかしながら、特許文献１，２のように門形又はＬ形の壁部では、外観が単調になりがちで、室内意匠に対する多様性のある要望に応えることが難しい。一方、特許文献５に開示された木目調化粧シートは、非常に薄いフィルムによって形成されているため、壁の面材として使用される石こうボードの表面に凹凸がある場合や釘の頭などが露出している箇所に貼り付けると、凹凸や突起がそのまま表面にあらわれて質感を損ねるおそれがある。
【０００８】
そこで、本発明は、垂れ壁を有する壁部の意匠性を容易に高めることが可能な壁部の化粧構造及びその施工方法を提供することを目的としている。
【課題を解決するための手段】
【０００９】
前記目的を達成するために、本発明の壁部の化粧構造は、天井から垂下される垂れ壁とその垂れ壁に接続される側壁とによって形成される壁部の化粧構造であって、前記垂れ壁の側面と前記側壁の上部に連続した長尺状の面を形成させるために取り付けられる下地板と、前記下地板に貼り付けられる木目調の内装シートとを備えたことを特徴とする。
【００１０】
ここで、前記内装シートは、発泡樹脂層を有するクロス材であることが好ましい。また、前記垂れ壁の下側の隅角部に沿わせるとともに、前記側壁の上部を横断させる見切り材が取り付けられる構成であってもよい。
【００１１】
さらに、前記垂れ壁の下面の前記見切り材間に下面用下地板が取り付けられ、その下面用下地板に木目調の内装シートが貼り付けられる構成とすることもできる。
【００１２】
また、本発明の壁部の化粧構造の施工方法は、天井から垂下される垂れ壁とその垂れ壁に接続される側壁とによって形成される壁部の化粧構造の施工方法であって、前記垂れ壁の下側の隅角部に沿わせるとともに、前記側壁の上部を横断させる見切り材を取り付ける工程と、前記見切り材に沿って下地板を取り付けることによって前記垂れ壁の側面と前記側壁の上部に連続した長尺状の面を形成させる工程と、前記下地板に木目調の内装シートを貼り付ける工程とを備えたことを特徴とする。
【発明の効果】
【００１３】
このように構成された本発明の壁部の化粧構造は、下地板によって垂れ壁の側面と側壁の上部に連続した長尺状の面が形成され、その長尺状の面に木目調の内装シートが貼り付けられる。
【００１４】
このため、壁部でありながら趣のある木質の梁が天井面近傍に形成されたようになり、木造感のある意匠性に優れた室内空間を創造できる。また、発泡樹脂層を有する木目調のクロス材を使用するのであれば、通常のクロス材と同様に、下地の影響を受けにくく、容易に施工することができる。
【００１５】
また、垂れ壁の下側の隅角部から側壁の上部を横断する見切り材を取り付けることによって、側壁の下部よりも見切り材より上方を浮き出させることができ、より木質の梁の外観に近づけることができる。
【００１６】
さらに、見切り材を取り付けた場合に垂れ壁の下面に下面用下地板を取り付けることで、木目調の内装シートが貼られる個所と見切り材との段差を抑えることができ、見切り材のみが強調されるのを防ぐことができる。
【００１７】
そして、見切り材を取り付けた後に下地板、内装シートを順に取り付ける工程であれば、見切り材を正確な位置に取り付けるだけで、水平に延びる長尺状の梁の外観を容易に形成することができる。
【図面の簡単な説明】
【００１８】
【図１】本発明の実施の形態の壁部の化粧構造の構成を説明する斜視図である。
【図２】壁部の化粧構造が設けられた室内の構成を説明する斜視図である。
【図３】本発明の実施の形態の壁部の化粧構造の施工方法を説明する斜視図である。
【発明を実施するための形態】
【００１９】
以下、本発明の実施の形態について図面を参照して説明する。
【００２０】
図１は、本実施の形態の壁部１の化粧構造の構成を説明する斜視図である。また、図２は、壁部１の化粧構造が設けられた室内４の様子を示した斜視図である。
【００２１】
この壁部１には、例えば図２に示すように、手前側の部屋と奥側の部屋の２つの部屋を連通させる開口が形成される。また、この壁部１は、構造体となる耐力壁であっても、荷重を支承しない単なる間仕切り壁であってもよい。
【００２２】
また、図２に示した室内４には、天井４１と床４２とに挟まれた空間に対して向かって右側に壁４３が形成され、左側に窓４４が設けられている。そして、その窓４４が設けられた側の壁４５と、それに対向する壁４３とにわたって壁部１が設けられる。
【００２３】
この壁部１は、天井４１から垂下される垂れ壁２と、その垂れ壁２の壁４３側に接続される側壁３とによって側面視略Ｌ字形に形成される。この垂れ壁２は、上面は天井４１に接合され、下面は窓４４の上縁の高さ付近に形成される。
【００２４】
この垂れ壁２は、図１に示すように、両側面に沿ってそれぞれ配置される木枠２１，２１と、それらの木枠２１，２１の外側面側にそれぞれ取り付けられる長方形に成形された石こうボード２２，２２と、木枠２１，２１の下面に差し渡される長方形に成形された石こうボード２３とによって、長尺のパネル状に形成される。
【００２５】
一方、側壁３は、図２に示すように、床４２から天井４１にわたって形成され、上面は天井４１に接合され、下面は床４２に接合される。また、側壁３の一方の側縁は、壁４３に接合される。そして、垂れ壁２の壁４３側の端面が、側壁３の壁４５側の内側面に当接される。
【００２６】
また、図示していないが、側壁３も上述した垂れ壁２と同様に、木枠と石こうボードとによってパネル状に形成される。このように木枠と石こうボードによって構成される壁は、耐力壁として機能させることができる。
【００２７】
通常、このように垂れ壁２と側壁３とによって側面視略Ｌ字形に形成された壁は、側面及び内側面に、壁４３，４５などと同じ模様のクロス材が貼られることが多い。これに対して本実施の形態では、通常とは異なる化粧構造を施すことによって、通常の壁とは異なる外観を創出させる。
【００２８】
本実施の形態で説明する壁部１の化粧構造は、図１に示すように垂れ壁２の側面と側壁３の上部にわたって取り付けられる下地板５と、その下地板５に貼り付けられる木目調のクロス材としての木目調クロス６と、垂れ壁２の下面に取り付けられる下面用下地板５１と、その下面用下地板５１に貼り付けられる木目調のクロス材としての木目調クロス６１と、垂れ壁２の隅角部に取り付けられる見切り材としての下縁見切り材７，７及び上縁見切り材７１，７１とによって主に構成される。
【００２９】
この下地板５は、図３に示すように、垂れ壁２の側面と側壁３の上部に連続した長尺状の面を形成させるために取り付けられる。この下地板５には、例えば長方形に成形された石こうボードが使用できる。
【００３０】
この下地板５は、垂れ壁２の高さから上縁見切り材７１の高さを引いた高さに成形される。また、下地板５の横方向の長さは、図２に示す壁４３，４５間の距離と略同じ長さの長尺状にすることができる。なお、複数枚を組み合わせてその長さにしてもよい。
【００３１】
また、下面用下地板５１は、垂れ壁２の下面にのみ取り付けられ、端部は側壁３の内側面に当接される。すなわち下面用下地板５１の横方向の長さは、図２に示す壁４５と側壁３の内側面との距離と略同じ長さの長尺状にすることができる。なお、複数枚を組み合わせてその長さにしてもよい。
【００３２】
さらに、下面用下地板５１の幅（図２では奥行き方向長さ）は、図３に示すように、垂れ壁２の下面の幅から下縁見切り材７，７を取り付ける幅を引いた長さに成形される。
【００３３】
そして、木目調クロス６，６１は、内装シートとして下地板５及び下面用下地板５１の室内４に露出される面を覆うように貼り付けられる。この木目調クロス６，６１は、通常の内装に使用されるクロス材と同様に、発泡塩化ビニルなどによって形成される発泡樹脂層の表層と裏打ち紙とによって構成される。
【００３４】
また、木目調クロス６，６１には、所望する色又は模様の木目を印刷することで木質に見せることができる。さらに、木目調クロス６，６１は、通常のクロス材と同様に、石こうボードや釘などによって下地に凹凸があっても、表面に影響を及ぼさせることなくきれいに貼り付けることができる。
【００３５】
また、垂れ壁２の下側の隅角部に沿って取り付けられる下縁見切り材７は、図２に示す壁４３，４５間の距離と略同じ長さに成形される。すなわち、下縁見切り材７は、垂れ壁２の下側の隅角部に沿って延伸し、側壁３の上部を横断する長さに成形される。
【００３６】
また、この下縁見切り材７には、図３に示すように、垂れ壁２に取り付ける箇所の幅が広く成形された広幅部７ａと、側壁３の側面に取り付ける箇所の幅が狭く成形された狭幅部７ｂとが設けられる。このように垂れ壁２の下面側を広幅部７ａにすることで、下縁見切り材７の存在感が増し、垂れ壁２の隅角部を強調させることができる。
【００３７】
また、下縁見切り材７は、下面用下地板５１の厚さより僅かに厚く成形され、垂れ壁２の下面に取り付けられた状態では、隣接して貼り付けられる木目調クロス６１の表面より僅かに下方に突出する。さらに、下縁見切り材７は、垂れ壁２の側面に貼り付けられる木目調クロス６の表面からも僅かに側方に突出するように取り付けられる。
【００３８】
一方、上縁見切り材７１は、下地板５の厚さより僅かに厚く成形され、垂れ壁２の上縁に取り付けられた状態では、隣接して貼り付けられる木目調クロス６の表面より僅かに側方に突出する。
【００３９】
また、上縁見切り材７１は、下縁見切り材７と略同じ長さに成形される。すなわち、垂れ壁２の上縁に沿って延伸し、側壁３の上縁にわたる長さに成形される。そして、これらの上縁見切り材７１及び下縁見切り材７は、例えば木目調クロス６，６１と同系色の木材によって成形することができる。
【００４０】
次に、本実施の形態の壁部１の化粧構造の施工方法について説明する。
【００４１】
まず、図３に示すように、側壁３の内側面の上部に垂れ壁２の端部を接合して側面視略Ｌ字形の壁部１の本体を構築する。そして、天井４１に隣接する垂れ壁２の石こうボード２２の上縁に沿って、上縁見切り材７１を釘などによって固定する。この上縁見切り材７１の取り付けは、垂れ壁２の両側面でおこなう。
【００４２】
また、垂れ壁２の下面を形成する石こうボード２３の側縁に沿って下縁見切り材７の広幅部７ａを釘などによって固定する。さらに、この広幅部７ａの取り付けによって、それに連続して形成された狭幅部７ｂが側壁３の側面に配置される。この下縁見切り材７の取り付けは、垂れ壁２の下面の両側でおこなう。
【００４３】
この段階では、垂れ壁２の下面において、石こうボード２３の下面よりも下縁見切り材７，７が下方に突出している。また、石こうボード２２の側面及び側壁３の側面よりも上縁見切り材７１及び下縁見切り材７が側方に突出している。
【００４４】
続いて、垂れ壁２の側面側では、上縁見切り材７１と下縁見切り材７との間に下地板５を嵌め込み、釘などによって固定する。また、垂れ壁２の下面側では、下縁見切り材７，７間に下面用下地板５１を嵌め込み、釘などによって固定する。
【００４５】
そして、下地板５の側方に露出した面に、木目調クロス６をクロス用接着剤によって貼り付ける。また、下面用下地板５１の下方に露出した面には、木目調クロス６１をクロス用接着剤によって貼り付ける。
【００４６】
次に、本実施の形態のる壁部１の化粧構造及びその施工方法の作用について説明する。
【００４７】
このように構成された本実施の形態の壁部１の化粧構造は、下地板５によって垂れ壁２の側面と側壁３の上部に連続した長尺状の面が形成され、その長尺状の面に木目調クロス６が貼り付けられる。
【００４８】
このため、壁部１でありながら趣のある木質の梁が天井４１近傍に形成されたようになり、意匠性に優れた室内空間を創造できる。すなわち、木目調クロス６，６１によって覆われた梁状物が室内４を横断することによって、木質の存在感が増し、木材が多用された木の家の雰囲気を醸し出すことができる。
【００４９】
特に、垂れ壁２の下側の隅角部から側壁３の上部を横断させる下縁見切り材７を取り付けることによって、側壁３の下部よりも下縁見切り材７上方を浮き出させることができ、垂れ壁２の長さに側壁３の幅を加えた長尺状の一本の木質の梁に見せかけることができる。
【００５０】
また、下縁見切り材７の幅を、垂れ壁２の下面では広幅部７ａとして広くし、側壁３の側面では狭幅部７ｂとして狭くすることで、側壁３の上に梁が載っているような外観になって、より梁に近づけることができる。
【００５１】
また、上縁見切り材７１を壁部１の上縁に沿って配置することで、天井４１と壁部１との境界が強調され、天井４１を梁が支えているように見せることができる。
【００５２】
一方、下縁見切り材７を垂れ壁２の下面に取り付けた場合に、それだけでは下縁見切り材７が下方に突出しすぎて浮き上がってしまうおそれがある。これに対して垂れ壁２の下面の下縁見切り材７，７間に下面用下地板５１を取り付けることで、木目調クロス６１が貼られる個所と下縁見切り材７との段差を抑えることができ、下縁見切り材７のみが強調されるのを防ぐことができる。
【００５３】
また、下縁見切り材７，７及び上縁見切り材７１，７１を先に真っ直ぐに取り付けることによって梁の外殻が規定される。このように連続した下縁見切り材７を真っ直ぐに取り付けるだけで、水平に延びる長尺状の梁の外観を容易に形成することができる。
【００５４】
そして、その後に下地板５を下縁見切り材７と上縁見切り材７１との間に取り付けるのであれば、下縁見切り材７と上縁見切り材７１とによって下地板５の上下方向の移動が規制されるので、容易に正確な位置に下地板５を固定することができる。
【００５５】
また、同様に下面用下地板５１を下縁見切り材７，７間に取り付ける際も、下縁見切り材７，７によって下面用下地板５１の幅方向の移動が規制されるので、容易に正確な位置に下面用下地板５１を固定することができる。
【００５６】
さらに、木目調クロス６，６１を貼り付ける際にも、下縁見切り材７及び上縁見切り材７１が定規になるため、きれいに木目調クロス６，６１を貼り付けることができる。また、通常のクロス材と施工性が同様の木目調クロス６，６１を使用するのであれば、下地の凹凸などの影響を受けにくく、容易に施工することができる。
【００５７】
以上、図面を参照して、本発明の最良の実施の形態を詳述してきたが、具体的な構成は、この実施の形態に限らず、本発明の要旨を逸脱しない程度の設計的変更は、本発明に含まれる。
【００５８】
例えば、前記実施の形態では、片側にのみ側壁３が設けられた壁部１について説明したが、これに限定されるものではなく、垂れ壁２の両側に側壁３，３が設けられた壁部に対しても本発明の化粧構造を適用することができる。
【００５９】
また、前記実施の形態では、内装シートとして木目調クロス６，６１を使用する場合について説明したが、これに限定されるものではなく、下地の表面状態によって熱可塑性樹脂フィルムによって形成される木目調化粧シート、木目が印刷された壁紙、木目が印刷された塩化ビニルシートなどを内装シートとして使用することもできる。
【００６０】
さらに、前記実施の形態では、下縁見切り材７及び上縁見切り材７１の両方を取り付ける場合について説明したが、これに限定されるものではなく、いずれか一方又は両方の見切り材を省略することができる。例えば、下縁見切り材７を省略する場合は、垂れ壁２の側面から下面にかけて隅角部を連続して覆うように木目調の内装シートを貼り付ければよい。
【００６１】
また、前記実施の形態では、垂れ壁２の下面に下縁見切り材７を取り付けたが、これに限定されるものではなく、垂れ壁２の側面の下縁に沿って見切り材を取り付けてもよい。
【００６２】
さらに、前記実施の形態では、垂れ壁２の下面に下面用下地板５１を取り付ける場合について説明したが、これに限定されるものではなく、下面用下地板５１を省略して石こうボード２３に直接、木目調クロス６１を貼り付けてもよい。特に、見切り材を垂れ壁２の側面に取り付ける場合は、下面用下地板５１を省略し易い。
【００６３】
また、前記実施の形態では、見切り材（７，７１）、下地板（５，５１）、木目調クロス６，６１の順番で取り付けをおこなったが、これに限定されるものではなく、例えば最後に見切り材（７，７１）を取り付ける工程であってもよい。
【００６４】
さらに、前記実施の形態では、板材については主に石こうボードを使って説明したが、これに限定されるものではなく、合板やパーティクルボードなどの木質ボード、硬質木片セメント板などいずれの材料でもあっても使用することができる。
【符号の説明】
【００６５】
１              壁部
２              垂れ壁
３              側壁
４１            天井
５              下地板
５１            下面用下地板
６，６１        木目調クロス（内装シート、クロス材）
７              下縁見切り材（見切り材）
７１            上縁見切り材
【図１】
0005620210.tif 000002
【図２】
0005620210.tif 000003
【図３】
0005620210.tif 000004